(57)【特許請求の範囲】
【請求項１】
内容物を収容する収容体と、前記収容体の上部に開閉可能に設けられた蓋体と、前記収容体の側面内側に接着され、前記収容体を保形する接着フラップと、開封された前記蓋体を再度、前記収容体に封止する再封止手段とを備えたリクローズカートンにおいて、
前記再封止手段が、前記接着フラップに設けられ、前記収容体の上縁から突出し隣接する２つの湾曲片と、前記湾曲片の間に形成された切込みとからなり、 前記切込みが前記蓋体の側面下側に係止することを特徴とするリクローズカートン。
【請求項２】
前記蓋体の側面下縁に、前記湾曲片に係止する刻み線を設けたことを特徴とする請求項１に記載のリクローズカートン。
【請求項３】
内容物を収容する収容体と、前記収容体の上部に開閉可能に設けられた蓋体と、前記収容体の側面内側に接着され、前記収容体を保形する接着フラップと、開封された前記蓋体を再度、前記収容体に封止する再封止手段とを備えたリクローズカートンにおいて、 
前記再封止手段が、前記接着フラップに設けられ、前記収容体の上縁から突出し隣接する２つの湾曲片と、前記湾曲片に沿って内側に形成された切込みとからなり、 前記切込みが前記蓋体に係止することを特徴とするリクローズカートン。
【請求項４】
前記収容体は、縦長であることを特徴とする請求項１乃至請求項３のいずれか一項に記載のリクローズカートン。 
【請求項５】
前記再封止手段は、前記接着フラップの上端部に設けられたことを特徴とする請求項１乃至請求項４のいずれか一項に記載のリクローズカートン。
【発明の詳細な説明】
【技術分野】
【０００１】
本発明は、一旦、開封した後、再度封止することができるリクローズ機能付きのリクローズカートンに関する。
【背景技術】
【０００２】
従来、種々のリクローズカートンが提案されている。
【０００３】
特許文献１には、前面パネルに切込と、破断線を介して破断領域とを設け、破断線を回避するように前面パネルにスポット貼りされた糊でフラップパネルと接着し、組み立てる紙カートンが記載されている。この紙カートンは開封した後、フラップパネルの掴み片を切込に差し込むことでリクローズされる。
【０００４】
特許文献２には、掴み片、蓋板および係止舌片を有する外天板と、略半円形状に切り抜かれた取り出し口を有する内天板とを外天板の掴み片と蓋板以外の部分に塗布された糊により接着することで組み立てる紙カートンが記載されている。この紙カートンは蓋板を開封した後、再度、蓋板を閉じ、掴み片または係止舌片を内天板の係止部に係止することでリクローズされる。
【０００５】
特許文献３には、切り込みが形成された前面パネルと、突出した掴み片が形成されたフラップパネルとを破断線で囲まれた破断領域以外に塗布された糊により接着することで組み立てる紙カートンが記載されている。この紙カートンは、天面パネルを開封した後、掴み片を切り込みに差し込むことでリクローズされる。
【先行技術文献】
【特許文献】
【０００６】
【特許文献１】実用新案登録第３００３９２６号公報
【特許文献２】特開平８−１１３２３２号公報
【特許文献３】特開平９−１９３９２６号公報
【０００７】
しかし、いずれの特許文献に記載の紙カートンでも、紙カートンの正面にリクローズ用の機能を設けているので、正面の外観を損なっていた。また、開封する際に破断する破断線または破断領域を回避して糊を塗布する必要があり、糊の塗布作業が煩雑になるという問題があった。
【０００８】
特許文献３に記載の紙カートンでは、前面パネルとフラップパネルとを重ね合わせているが、これを前面の面積が大きくなる縦長の紙カートンに適用すると、必要な紙の量が増大するという問題がある。
【発明の概要】
【発明が解決しようとする課題】
【０００９】
本発明は、前記従来の問題点に鑑みてなされたもので、正面の外観を良好に維持すると共に、使用する紙の量を削減し、また、糊の塗布作業を容易にするリクローズカートンを提供することを課題とする。
【課題を解決するための手段】
【００１０】
前記課題を解決するため、本発明に係るリクローズカートンは、
内容物を収容する収容体と、前記収容体の上部に開閉可能に設けられた蓋体と、前記収容体の側面内側に接着され、前記収容体を保形する接着フラップと、開封された前記蓋体を再度、前記収容体に封止する再封止手段とを備えたリクローズカートンにおいて、
前記再封止手段が、前記接着フラップに設けられ、前記収容体の上縁から突出し隣接する２つの湾曲片と、前記湾曲片の間に形成された切込みとからなり、 前記切込みが前記蓋体の側面下側に係止するものである。
【００１１】
上記構成により、再封止手段が収容体の側面に設けられたので、リクローズカートンの正面の外観を良好に維持することができる。また、これにより、蓋体の加工を要せず、簡単な構成で再封止手段を設けることができる。
【００１２】
収容体は、縦長であることが好ましい。
正面の面積が大きくなる縦長のリクローズカートンにおいて、側面の接着フラップに再封止手段を設けることで、前面に接着フラップおよび再封止手段を設けるのに比べ、使用する紙の量を削減することができる。
【００１３】
前記再封止手段は、前記接着フラップの上端部に設けられることが好ましい。
接着フラップの上端部に再封止手段を設けるので、接着フラップに糊を塗布する領域を複雑にせず、糊の塗布作業を容易にすることができる。
【００１５】
前記蓋体の側面下縁に、前記湾曲片に係止する刻み線を設けることが好ましい。
また、前記再封止手段は、前記収容体の上縁から突出する湾曲片からなり、
前記蓋体の側面に、前記湾曲片と係止する刻み線を設けてもよい。
【００１６】
前記再封止手段は、前記収容体の上縁から突出し隣接する２つの湾曲片と、前記湾曲片に沿って内側に形成された切込みとからなり、
前記切込みが前記蓋体に係止することが好ましい。
これにより、蓋体の加工を要せず、簡単な構成で再封止手段を設けることができる。
【発明の効果】
【００１７】
本発明によれば、再封止手段が収容体の側面に設けられたので、リクローズカートンの正面の外観を良好に維持することができる。正面の面積が大きくなる縦長のリクローズカートンにおいて、側面の接着フラップに再封止手段を設けることで、前面に接着フラップおよび再封止手段を設けるのに比べ、使用する紙の量を削減することができる。更に、接着フラップの上端部に再封止手段を設けるので、接着フラップに糊を塗布する領域を複雑にせず、糊の塗布作業を容易にすることができる。
【図面の簡単な説明】
【００１８】
【図１】（Ａ）は本発明の第１実施形態に係るリクローズカートンの斜視図、（Ｂ）は（Ａ）のリクローズカートンを開封した状態の斜視図。
【図２】（Ａ）は図１のリクローズカートンの展開図、（Ｂ）は（Ａ）のリクローズカートンを組み立てた状態の再封止手段と刻み線との関係を示す部分拡大側面図。
【図３】（Ａ）は図１（Ｂ）のリクローズカートンを異なる方向から見た斜視図、（Ｂ）はリクローズカートンの収容体にＦ方向の力が作用し歪んだ状態を示す平面図。
【図４】（Ａ）は図３（Ａ）の蓋体を蓋側左側面板が第１湾曲片の外側に位置するように下方に回動させた状態の斜視図、（Ｂ）は（Ａ）の蓋体を更に下方に回動させた状態の斜視図。
【図５】（Ａ）は蓋体が切込みに挟み込まれながら下方に回動する状態の斜視図、（Ｂ）は蓋体が収容体に再封止した状態を示す斜視図。
【図６】（Ａ）は本発明の第２実施形態に係るリクローズカートンの展開図、（Ｂ）は（Ａ）のリクローズカートンを組み立てた状態の再封止手段と刻み線との関係を示す部分拡大側面図。
【図７】（Ａ）は図６（Ａ）のリクローズカートンを組み立て、開封してから閉じていく状態の斜視図、（Ｂ）は蓋体を更に閉じた状態の斜視図。
【図８】蓋体が収容体に再封止した状態を示す斜視図。
【図９】（Ａ）は本発明の第３実施形態に係るリクローズカートンの展開図、（Ｂ）は（Ａ）のリクローズカートンを組み立て、開封してから閉じていく状態の斜視図。
【図１０】（Ａ）は蓋体を更に閉じた状態の斜視図、（Ｂ）は蓋体が収容体に再封止した状態を示す斜視図。
【図１１】（Ａ）は第３実施形態の変形例に係るリクローズカートンの展開図、（Ｂ）は（Ａ）のリクローズカートンを組み立て、開封した状態の斜視図。
【発明を実施するための形態】
【００１９】
次に、添付図面を参照して本発明に係るリクローズカートン１を詳細に説明する。
【００２０】
図１（Ａ）および図１（Ｂ）に示すように、リクローズカートン１は、内容物を収容する収容体１１と、収容体１１の上部に開閉可能に設けられた蓋体４１とを備えている。収容体１１と蓋体４１との間には、前面に設けられた前面破断線αと、右側面に設けられた右側面破断線βと、左側面に設けられた左側面破断線γとが刻設されている。リクローズカートン１は、これら破断線α、β、γを破断することで収容体１１から切り離され、開封する。
【００２１】
収容体１１の側壁は、図２（Ａ）に示すように、３つの縦折り線Ｌ１とＳ字状に形成された１つの波形折り線Ｌ２とを介して連接された前面板１２と右側面板１３と左側面板１４と背面板１５と接着フラップ１６とからなる。前面板１２の上縁中央には、上方に向かって湾曲する中央突出片１７が形成されている。右側面板１３と左側面板１４との上縁は、背面板１５から前面板１２に向かって曲線状に下降している（図１（Ｂ）参照）。背面板１５は長方形である。
【００２２】
接着フラップ１６の上端部には、本発明に係る再封止手段２１が設けられている。再封止手段２１は、中央に位置する第１湾曲片２２と、この第１湾曲片２２に隣接する第２湾曲片２３と、第１湾曲片２２と第２湾曲片２３との間に形成された切込み２４とを有している。第２湾曲片２３は、第１湾曲片２２よりも下方に配設されている。第１湾曲片２２は、上方に突出する半円形状であり、第２湾曲片２３は上方に湾曲している。切込み２４は第１湾曲片２２の端部から延在し、第１湾曲片２２と同心円上に湾曲している。また、接着フラップ１６には縦折り線Ｌ１に沿って、組み立てる際に左側面板１４に接着する糊などの接着剤が塗布された側面接着領域２６が設けられている。接着フラップ１６の上端部に再封止手段２１を設けたので、側面接着領域２６の形状を簡単にし、側面接着領域２６への接着剤の塗布作業を容易にすることができる。
【００２３】
前面板１２と背面板１５の下側にはそれぞれ、横折り線Ｌ３を介して略正方形の第１底面板３１と第２底面板３２が連接されている。また、右側面板１３と左側面板１４の下側にはそれぞれ、横折り線Ｌ３を介して略長方形の底面フラップ３３が連接されている。第２底面板３２には横折り線Ｌ３に沿って、組み立てる際に第１底面板３１に接着する底面接着領域３５が配設されている。これら底面板３１，３２が、収容体１１の底壁を構成している。
【００２４】
蓋体４１の側壁は、縦折り線Ｌ１と波形折り線Ｌ２との上部を介して連接された蓋側前面板４２と、蓋側右側面板４３と、蓋側左側面板４４とからなる。蓋側前面板４２は、前面破断線αを介して前面板１２の上縁に連接されている。前面破断線αは、中央が上方に向かって湾曲している。蓋側右側面板４３は、背面板１５側から前面板１２側に向かって、曲線状に下降する右側面破断線βを介して右側面板１３の上縁に連接されている。蓋側左側面板４４は、左側面板１４の側面から前面板１２側に向かって、曲線状に下降する左側面破断線γを介して左側面板１４の上縁に連接されている。蓋側左側面板４４には、左側面破断線γの中央から上方に向かって延び、切込み２４と同じ曲率半径で、同じ長さの円弧からなる刻み線４５が刻設されている。刻み線４５は、接着フラップ１６を左側面板１４に接着したときに、図２（Ｂ）に示すように、第１湾曲片２２と同心円上にあり、切込み２４と連続する位置に形成されている。なお、この刻み線４５は後述するように、切込み２４が蓋側左側面板４４を挟み込み、係止することで蓋体４１を収容体１１に再封止できるのであれば、設ける必要がない。これにより、刻み線４５の加工を要せず、蓋体４１の構成を容易にできる。
【００２５】
背面板１５と蓋側前面板４２の上側にはそれぞれ、横折り線Ｌ３を介して略正方形の第１天面板４７と第２天面板４８とが連接されている。また、右側面板１３と左側面板１４の上側にはそれぞれ、横折り線Ｌ３を介して略長方形の天面フラップ４９が連接されている。第１天面板４７と背面板１５との間の横折り線Ｌ３は、リクローズカートン１が組み立てられ、蓋体４１を開放する際の軸５１となる。第１天面板４７の横折り線Ｌ３側には、一対の円形孔５２が設けられている。これら円形孔５２の間には、組み立てる際に第２天面板４８に接着する天面接着領域５３が配設されている。これら天面板４７，４８が、収容体１１の天壁を構成している。
【００２６】
上記構成のリクローズカートン１を組み立てるには、まず、前面板１２と右側面板１３と左側面板１４と背面板１５と接着フラップ１６とをそれぞれ、縦折り線Ｌ１および波形折り線Ｌ２に沿って折り曲げる。このとき、接着フラップ１６を左側面板１４の内側に配置し、側面接着領域２６に塗布された接着剤により、接着フラップ１６を左側面板１４の内側に接着する。
【００２７】
次に、底面フラップ３３、第２底面板３２、第１底面板３１を順に横折り線Ｌ３に沿って内方に折り曲げる。このとき、底面接着領域３５に塗布された接着剤により、第２底面板３２を第１底面板３１に接着する。また、未だ組み立てられず開口している第１天面板４７、第２天面板４８および天面フラップ４９の上方から、収容体１１に内容物を挿入する。
【００２８】
そして、天面フラップ４９、第１天面板４７を順に横折り線Ｌ３に沿って内方に折り曲げる。このとき、第１天面板４７の円形孔５２を介して、接着剤を天面フラップ４９に塗布する。最後に、第２天面板４８を折り曲げると、円形孔５２を介して、第２天面板４８と天面フラップ４９とが接着すると共に、天面接着領域５３の接着剤により第２天面板４８と第１天面板４７とが接着して、図１（Ａ）に示すリクローズカートン１が得られる。
【００２９】
前述のように組み立てられたリクローズカートン１を開封するには、中央突出片１７を押圧し、前面破断線αを破断する。そして、蓋側前面板４３を上方に付勢して、右側面破断線βと左側面破断線γとを破断し、蓋体４１を軸５１周りに上方に回動する。これにより、図３（Ａ）に示すように、リクローズカートン１が開封する。この状態で、収容体１１から内容物（図示せず）を取り出し、使用する。また、このとき、波形折り線Ｌ２の存在により、右側面板１３に図中、矢印Ｆ方向に向かって変形しようとするため、収容体１１は蓋体４１に対しＦ方向に歪んでいる（図３（Ｂ）参照）。なお、収容体１１から蓋体４１を開放した状態では、左側面板１４の上縁から再封止手段２１が突出している。このように、正面の面積が大きくなる縦長のリクローズカートン１において、側面に位置する接着フラップ１６に再封止手段２１を設けたので、前面に接着フラップおよび再封止手段を設けるのに比べ、使用する紙の量を削減することができる。
【００３０】
使用しない内容物を収容体１１の内部に収容し、再度、蓋体４１を収容体１１に封止する。このとき、ユーザが前面板１２と左側面板１４との間の縦折り線Ｌ１および右側面板１３と背面板１５との間の縦折り線Ｌ１を押圧し、収容体１１を把持することで、Ｆ方向への歪みが矯正される。蓋体４１を軸５１周りに下方に回動すると、図４（Ａ）に示すように、蓋側左側面板４４の下縁が切込み２４の上端に至るまでは、蓋側左側面板４４は第１湾曲片２２の外側を回動する。
【００３１】
図４（Ｂ）に示すように、蓋側左側面板４４の下縁が切込み２４の上端に到達すると、ユーザは縦折り線Ｌ１の押圧力を緩める。これにより、収容体１１、すなわち第２湾曲片２３が矢印Ｆ方向に歪もうとするので、この力を利用して蓋側左側面板４４の下縁を切込み２４に挟み込み、蓋体４１を下方に回動させる。このとき、図５（Ａ）に示すように、切込み２４を間にして、第１湾曲片２２が蓋側左側面板４４の内面に摺接し、第２湾曲片２３は蓋側左側面板４４の外面に摺接している。また、蓋側左側面板４４の下縁が切込み２４の下端を通過すると、刻み線４５が第１湾曲片２２と第２湾曲片２３との間を挟み込む。
【００３２】
更に、蓋体４１を回動させると、図５（Ｂ）に示すように、収容体１１の上縁と蓋体４１の下縁とが合致して、収容体１１に蓋体４１を再封止（リクローズ）することができる。このとき、蓋側左側面板４４が切込み２４に挟み込まれて係止すると共に、刻み線４５が第１湾曲片２２と第２湾曲片２３との間を挟み込み、係止することで、収容体１１に蓋体４１を再封止している。このとき、切込み２４と刻み線４５とを間に、第１湾曲片２２が蓋側左側面板４４の内側に位置し、第２湾曲片は蓋側左側面板４４の外側に位置している。再封止手段２１が収容体１１の側面に設けられているので、リクローズカートン１の正面の外観を良好に維持することができる。
【００３３】
図６（Ａ）、（Ｂ）、図７（Ａ）、（Ｂ）および図８に、本発明の第２実施形態であるリクローズカートン２を示すが、図１の第１実施形態と同一の要素には同一の符号を付して説明を省略する。
【００３４】
図６（Ａ）および図７（Ａ）に示すように、このリクローズカートン２の蓋側左側面板４４には、組み立てられた状態で、蓋側前面板４２から背面板１５に向かって湾曲する弓形の刻み線６１と、この刻み線６１の中央から背面板１５側下方に向かって直線状に延びる補助刻み線６２とが形成されている。刻み線６１は、接着フラップ１６を左側面板１４に接着したときに、図６（Ｂ）に示すように、第１湾曲片２２に接する円弧で形成されている。
【００３５】
収容体１１から開放した蓋体４１を再度、収容体１１に封止するため、蓋体４１を収容体１１に向かって軸５１周りに回動する。このとき、ユーザが前面板１２と左側面板１４との間の縦折り線Ｌ１および右側面板１３と背面板１５との間の縦折り線Ｌ１を押圧する力を緩め、収容体１１がＦ方向に歪んだ状態で蓋体４１を下方に回動する。これにより、蓋側左側面板４４は第１湾曲片２２と第２湾曲片２３との内側を回動する。
【００３６】
そして、図７（Ｂ）に示すように、刻み線６１が第２湾曲片２３の周縁と合致する位置で、刻み線６１に第２湾曲片２３を挟み込み、この状態で蓋体４１を下方に回動する。なお、刻み線６１に第２湾曲片２３を挟み込む際、補助刻み線６２により、刻み線６１より下側の蓋側左側面板４４の強度を弱め、挟み込み易くしている。
【００３７】
収容体１１の上縁と蓋体４１の下縁とが合致すると、図８に示すように、刻み線６１が第２湾曲片２３を挟み込み、係止することで、収容体１１に蓋体４１を再封止している。このとき、第１湾曲片２２は蓋側左側面板４４の外側に位置し、刻み線６１を間にして、第２湾曲片２３の上部が蓋側左側面板４４の内側に位置し、下部が蓋側左側面板４４の外側に位置している。また、補助刻み線６２は第２湾曲片２３の内側に位置している。
【００３８】
以上のように、収容体１１の側面に再封止手段２１と刻み線６１を設けたので、第１実施形態のリクローズカートン１と同様の効果を得ることができる。
また、リクローズカートン２は前記実施形態に限定されない。例えば、刻み線６１が再封止手段２１を挟み込み、係止する限り、再封止手段２１と刻み線６１の形状は特に限定されない。
【００３９】
図９（Ａ）、（Ｂ）および図１０（Ａ）、（Ｂ）に、本発明の第３実施形態であるリクローズカートン３を示すが、図１の第１実施形態と同一の要素には同一の符号を付して説明を省略する。
【００４０】
図９（Ａ）に示すように、接着フラップ１６の上端部には、上方に向かって湾曲する２つの突出部６５からなる略Ｍ字形状の第３湾曲片６６と、この第３湾曲片６６の内方に、前記２つの突出部６５に沿って形成された切込み６７とからなる再封止手段６８が設けられている。リクローズカートン３が組み立てられ、蓋体４１が開放した状態では、図９（Ｂ）に示すように、再封止手段６８は左側面板１４の上縁から、上方に向かって突出している。
【００４１】
収容体１１から開放した蓋体４１を再度、収容体１１に封止するため、Ｆ方向への歪みを矯正し、蓋体４１を収容体１１に向かって軸５１周りに回動すると、蓋側左側面板４４が第３湾曲片６６の外側を回動する。そして、蓋側左側面板４４の下縁が切込み６７の周縁と合致する位置で、Ｆ方向への力を利用して切込み６７に蓋側左側面板４４を挟み込み、この状態で蓋体４１を下方に回動する（図１０（Ａ）参照）。収容体１１の上縁と蓋体４１の下縁とが合致すると、図１０（Ｂ）に示すように、切込み６７が蓋側左側面板４４を挟み込み、係止することで、収容体１１に蓋体４１を再封止している。
【００４２】
以上のように、収容体１１の側面に再封止手段６８と切込み６７を設けたので、第１実施形態のリクローズカートン１と同様の効果を得ることができる。
また、リクローズカートン３は前記実施形態に限定されない。例えば、切込み６７が再封止手段６８を挟み込み、係止する限り、第３湾曲片６６と切込み６７との形状は特に限定されない。更に、図１１（Ａ）および図１１（Ｂ）に示すように、リクローズカートン３を組み立てた状態で、右側面板１３に接着する接着フラップ１６の上端に再封止手段６８を設けても、同様の効果を得ることができる。
【符号の説明】
【００４３】
１  リクローズカートン（第１実施形態）
２  リクローズカートン（第２実施形態）
３  リクローズカートン（第３実施形態）
１１  収容体
１６  接着フラップ
２１，６８  再封止手段
２２  第１湾曲片
２３  第２湾曲片
２４，６７  切込み
４１  蓋体
４５，６１  刻み線
６６  第３湾曲片
【図１】
0005772416.tif 000002
【図２】
0005772416.tif 000003
【図３】
0005772416.tif 000004
【図４】
0005772416.tif 000005
【図５】
0005772416.tif 000006
【図６】
0005772416.tif 000007
【図７】
0005772416.tif 000008
【図８】
0005772416.tif 000009
【図９】
0005772416.tif 000010
【図１０】
0005772416.tif 000011
【図１１】
0005772416.tif 000012